(57)【要約】【課題】従来の電気掃除機として、集塵袋から塵埃をこぼさないために集塵袋の開口部を塞いで廃棄するには、集塵袋を掃除機本体から取り出して、シールを剥離紙から剥がして、さらにシールを口板に貼るといった一連の動作を使用者が行う必要があり、手間がかかった。【解決手段】集塵部及び電動送風機を有する掃除機本体と、前記集塵部に装着される集塵袋とを備え、この集塵袋は開口部を有する口板と、口板に取り付けられた袋部材とを備え、前記集塵袋には前記開口部を塞ぐシール部材を設け、前記掃除機本体に前記シール部材の一部と係合する係合部を設けて、集塵袋を集塵部から取り出す際に口板にシール部材を貼り付ける。【選択図】  図１
2011229986.tif 000002
【特許請求の範囲】
【請求項１】
集塵部及び電動送風機を有する掃除機本体と、前記集塵部に装着される集塵袋とを備え、該集塵袋は開口部を有する口板と、該口板に取り付けられた袋部材とを備え、
前記集塵部の下部には回動軸とホルダが設けられており、
前記ホルダは前記回動軸を回転軸として前記電動送風機側に傾斜しており、
前記ホルダには前記口板が取り付け可能であることを特徴とする電気掃除機。
【請求項２】
請求項１に記載の電気掃除機において、
前記掃除機本体に前記口板を保持する係止部が設けられており、
前記口板が前記係止部により保持されている際は、前記ホルダは起こした状態となり、
前記係止部が前記口板から外れた際は、前記ホルダは前記電動送風機側に倒れた状態となることを特徴とする電気掃除機。
【請求項３】
請求項１または２に記載の電機掃除機において、
前記口板は前記開口部を塞ぐシール部材を備えることを特徴とする電気掃除機。
【発明の詳細な説明】
【技術分野】
【０００１】
本発明は電気掃除機に関するものである。
【背景技術】
【０００２】
集塵袋とこの集塵袋内に集塵された塵埃の排出を衛生的にするための電気掃除機は、例えば、特許文献１（特開平７−１００８６号公報）に記載されている。
【０００３】
特許文献１（特開平７−１００８６号公報）に示される電気掃除機は、集塵袋の支持板前面に遮へい板を摺動自在に配置することにより、ごみ捨て時に支持板の塵埃吸い込み口より袋状体側で、吸い込み口を閉じることが可能な構成である。
【先行技術文献】
【特許文献】
【０００４】
【特許文献１】特開平７−１０００８６号公報
【発明の概要】
【発明が解決しようとする課題】
【０００５】
集塵袋内に溜められた塵埃は、電動送風機に所定の吸引力を発揮させ続けるために定期的に、また、吸引力が低下した場合に捨てる必要があり、このときには塵埃に触れることなく簡単に集塵袋を取り出せるとともに、集塵袋から塵埃がこぼれずに捨てることが衛生上、望ましい。
【０００６】
また、電気掃除機を運転している間は集塵袋を通過する空気流により、綿ゴミなどの軽くてフワフワした繊維塵は圧縮された固まりとなり易い。しかしながら、電気掃除機の運転を停止すると空気流による圧縮力が無くなり、圧縮された塵埃の固まりが広がり、塵埃の固まりの体積が大きくなる。このため、集塵袋内に大量の塵埃を吸い込んだ場合には、口板に設けた開口部付近まで塵埃が溜まる場合もある。
【０００７】
特許文献１に示される発明では、集塵袋の支持板前面に遮へい板を摺動自在に配置するように設けることが提案されているが、この場合、この遮へい板が支持板に設けた開口面に対して略平行に移動するので、開口部付近に溜まった塵埃が邪魔をして、遮へい板が移動できずに、蓋をすることができないといった問題があった。
【０００８】
加えて、この状態で無理に力を入れて遮へい板を閉じようとすると、開口部付近に溜まった塵埃がこぼれるといった問題があり、衛生的な作業とは言えず好ましいことではない。
【０００９】
本発明の目的は、上記問題を解決するためになされたものであり、集塵した塵埃を容易にかつ衛生的に廃棄できる電気掃除機を提供することにある。
【課題を解決するための手段】
【００１０】
上記目的を達成するために本発明の特徴とするところは、集塵部及び電動送風機を有する掃除機本体と、前記集塵部に装着される集塵袋とを備え、該集塵袋は開口部を有する口板と、該口板に取り付けられた袋部材とを備え、前記集塵部の下部には回動軸とホルダが設けられており、前記ホルダは前記回動軸を回転軸として前記電動送風機側に傾斜しており、前記ホルダには前記口板が取り付け可能であることにある。
【発明の効果】
【００１１】
本発明によれば、集塵袋と集塵袋内の塵埃を容易にかつ衛生的に排出できる電気掃除機を提供することができる。
【図面の簡単な説明】
【００１２】
【図１】本発明の一実施例を示す電気掃除機の上本体ケースと、蓋を取り外した状態の斜視図である。
【図２】本発明の一実施例を示す電気掃除機を示す外観斜視図である。
【図３】本発明の一実施例を示す掃除機本体の中央縦断面図である。
【図４】図３のＡ部拡大図である。
【図５】本発明の一実施例を示す集塵袋の斜視図である。
【図６】本発明の一実施例を示す蓋を開いて集塵袋をホルダーに装着した際の、掃除機本体の部分中央縦断面図である。
【図７】本発明の一実施例を示す蓋を開いて集塵袋を廃棄する際の、掃除機本体の部分中央縦断面図である。
【図８】本発明の一実施例を示す集塵袋を廃棄する際の斜視図である。
【図９】本発明の一実施例を示す掃除機本体の中央縦断面図である。
【図１０】本発明の一実施例を示すシール部材の平面図である。
【図１１】図１０のＢ−Ｂ断面図である。
【図１２】図１０のＣ−Ｃ断面図である。
【図１３】図１１のＤ部拡大図である。
【図１４】図１２のＥ部拡大図である。
【発明を実施するための形態】
【００１３】
本発明の実施例について、図面を引用して説明する。まず、図１から図３に沿って電気掃除機１の概要から説明する。図１は、本発明の一実施例を示す電気掃除機の上本体ケースと、蓋を取り外した状態の斜視図である。図２は、本発明の一実施例を示す電気掃除機を示す外観斜視図である。図３は、本発明の一実施例を示す掃除機本体の中央縦断面図である。
【００１４】
図１及び図２において、２は電動送風機９，集塵部５，電源コード１９等を収容する掃除機本体である。１２は一端が接続部１２ａを介して掃除機本体２に接続され、掃除機本体２の集塵部５と連通するホースである。ホース１２は接続部１２ａを掃除機本体２のホース接続口部１０に接続している。１３は一端がホース１２の他端と接続されると共に、電動送風機９の運転を制御するスイッチ１６を備えた手元操作管である。１４は一端が手元操作管１３の他端と接続された伸縮継手管であり、１５は伸縮継手管１４の他端に接続された吸口である。
【００１５】
電気掃除機１は電動送風機９を駆動した際の吸気力により、吸口１５から含塵空気を吸い込み、吸い込んだ含塵空気を伸縮継手管１４と手元操作管１３とホース１２を介して掃除機本体２に吸い込ませ、掃除機本体２の集塵部５内に設置した集塵袋２０で塵埃を捕集（集塵）する。集塵袋２０を通過した空気流は、電動送風機９に吸引されて昇圧される。集塵袋２０で捕集されなかった微細な塵は、排気フィルター３２で濾過捕集され、空気を機外に排気される。電気掃除機１の運転モードの切り替えは手元操作管１３に設けたスイッチ１６により行う。
【００１６】
掃除機本体２は、図１と図３に示すように、上本体ケース４と下本体ケース３とにより外郭を構成している。下本体ケース３の前方には上方が開口した集塵部５が形成されており、この集塵部５内に集塵袋２０が着脱自在に装着されている。上本体ケース４には、蓋８が転回可能に取り付けられており、この蓋８は集塵部５の開口部を覆うようにしている。集塵袋２０の出し入れは蓋８を開いて行い、上蓋８を閉じて電気掃除機１の運転を行う。
【００１７】
また、集塵部５内には集塵袋２０と電動送風機９の間に保護フィルター１８を設けるとともに、除塵ユニット７を配置している。この除塵ユニット７が動いて袋部材２１を振動させることで、集塵袋２０内に捕集されて堆積した塵埃は袋部材２１から除塵される。
【００１８】
また、下本体ケース３は、この掃除機本体２を床面に走行させるための走行車輪１１と案内車輪４０を備えている。さらに、上本体ケース４の上部にはハンドル６が出没自在に取り付けられており、掃除機本体２を持ち運ぶ事ができる。
【００１９】
ホース接続口部１０に差し込んだホース１２の接続部１２ａと、逆止弁３１と一体になった弾性体シール部材が気密状態に当接しており、この逆止弁３１が開くと流入口３０から集塵袋２０に設けた開口部２６を通じて、含塵空気流が集塵袋２０内に流入する。ここで、逆止弁３１と一体になった弾性体シール部材は、集塵袋２０に設けた口板２２に気密状態に当接して、塵埃がこぼれない作用も有している。
【００２０】
次に、掃除機本体２内部の配置について説明する。ホース接続口部１０は上方から見て掃除機本体２の幅方向の中央にあり、かつ、前記掃除機本体２の前面に配置している。集塵袋２０の流入部である開口部２６も同様に集塵部５の幅方向の中央にあり、かつ、前記集塵部５の前面に配置している。このように配置したことで、集塵部５の入口部分に曲りなどを設ける必要が無いため、通気損失を小さくできる効果が得られる。
【００２１】
次に図１、および、図３から図９を参照して集塵部５について説明する。図４は、図３のＡ部拡大図である。図５は、本発明の一実施例を示す集塵袋の斜視図である。図６は、本発明の一実施例を示す蓋を開いて集塵袋をホルダーに装着した際の、掃除機本体の部分中央縦断面図である。図７は、本発明の一実施例を示す蓋を開いて集塵袋を廃棄する際の、掃除機本体の部分中央縦断面図である。図８は、本発明の一実施例を示す集塵袋を廃棄する際の斜視図である。図９は、本発明の一実施例を示す掃除機本体の中央縦断面図である。
【００２２】
集塵部５は図１と図３と図４に示すように、下本体ケース３と上本体ケース４と蓋８で囲まれた空間で構成される。集塵袋２０は図５に示すように、紙，布，獣毛やプラスチック材等の不織布等で構成された袋部材２１と、開口部２６を有した厚紙やプラスチック等で構成された口板２２を備える。この集塵袋２０は、集塵部５内に設けたホルダー３６に着脱可能に装着される。
【００２３】
口板２２がクランプ２８に設けた係止部３８により保持され、蓋８を閉じた状態では、クランプ２８に設けた補強部３３が蓋８に設けたリブ３４により係止されている。このため、集塵袋２０に塵埃が溜まった状態で電動送風機９を駆動した際でも、集塵袋２０が電動送風機９側へ引っ張られて、口板２２が逆止弁３１と一体になった弾性体シール部材から離れることを防ぐことができ、塵埃がこぼれるのを防いでいる。なお、逆止弁３１は、集塵袋２０に設けた開口部２６から集塵袋２０に溜った塵埃がホース１２に設けた接続部１２ａ側への逆流を防ぐように機能する。
【００２４】
また、集塵袋２０は、集塵袋２０内に塵埃を溜めた後に、この集塵袋２０を廃棄する際に口板２２に設けた開口部２６を塞ぐシール部材２３を備えている。このシール部材２３は、シール部２４と、このシール部の接着面を被う剥離紙２５を備えている。なお、この剥離紙２５の先端には係合部１７に引っ掛けて係止させるための係止穴２７を開けている。
【００２５】
この集塵袋２０を掃除機本体２内の集塵部５に装着するには、図６に示すように、回動軸３７を回転軸として電動送風機９側に傾斜したホルダー３６に集塵袋２０の口板２２を取り付け、この口板２２とホルダー３６を起こしてクランプ２８に設けた係止部３８を口板２２に引っ掛けて取り付ければよい。なお、クランプ２８は回動軸３５を回転軸に回動可能にしておくと、集塵袋２０の装着を容易にすることができる。
【００２６】
次に、剥離紙２５に設けた係止穴２７を係合部１７に引っ掛けておく。ここで、集塵袋２０を集塵部５に装着した際に、集塵部５を蓋８と集塵袋２０の袋部材２１との間に、シール部材２３を配置している。このため、剥離紙２５に設けた係止穴２７と係合部１７を目視でき、係止穴２７の取り付けを容易に行うことができる。なお、この係合部１７は図に示すようにクランプ２８の上部や、集塵部５内のうち、口板２２よりも上側に配置しておくと、係止穴２７を係合部１７に取り付けやすいのでより好ましい。
【００２７】
また、係合部１７と係止穴２７は口板２２の幅方向に広くあるのではなく、ここでは、口板２２の幅方向の中央付近に設けている。これらに対し、クランプ２８に設けたフック２９や、補強部３３，蓋８に設けたリブ３９は、口板２２の幅方向の中央付近には設けずに、口板２２の幅方向の両端付近に設けている。このため、係止穴２７を係合部１７に取り付けて、蓋８を閉じる時に、剥離紙２５をリブ３９とクランプ２８で挟み込んだりして、剥離紙２５が切れたりすることを防げる。
【００２８】
集塵袋２０は開口部２６を有する口板２２の一方の面（背面）に、袋部材２１を接合することにより構成されている。口板２２に接合された袋部材２１は、図５に示すように、折り目２１ａ，２１ｂで折られ、口板２２の背面側で折り畳まれている。口板２２には、袋部材２１との接合部分（折り目２１ａ）から突出した突出部２２ａが形成されている。シール部材２３はこの突出部２２ａの背面側に取り付けられている。このため、集塵袋２０を装着した際に、ホルダー３６と口板２２に挟まれて、シール部材２３が切れたりすることも防げる。
【００２９】
次に、塵埃を吸引して集塵袋２０を廃棄する際について説明する。蓋８を開け、補強部３３、またはフック２９、または係合部１７の前側（図７の左側）へ倒すと係止部３８が口板２２から外れて、回動軸３７を回転軸としてホルダー３６と口板２２が電動送風機９側へ倒れる。口板２２が、係合部１７から遠ざかるので、剥離紙２５がシール部２４から剥がれ始める。そして、口板２２をホルダー３６から引き抜くに従い、剥離紙２５がシール部２４から剥がれていく。このとき、シール部材２３の一端である剥離紙２５の係止穴２７が係合部１７で引っ張られているので、口板２２を引き抜いていくとシール部２４の接着面が口板２２の開口部２６を塞ぐように集塵袋２０を取り出すことができる。なお、係合部１７は前側（図４の左側）へ凸状の鉤型としておけば、集塵袋２０を取り出す際には、係止穴２７が係合部１７から外れにくくなるのでより好ましい。
【００３０】
ここで、集塵袋２０を集塵部５から取り出すと、図８に示すように、シール部２４が開口部２６を塞いで取り出すことが可能となる。つまり、集塵袋２０を集塵部５から取り出す動作を行えば、口板２２の開口部２６を塞ぐことができるので、塵埃に触れることなく簡単に集塵袋２０を取り出せるとともに、集塵袋２０から塵埃がこぼれずに捨てることができるので、衛生的である。なお、集塵袋２０を集塵部５から取り出した後に、シール部２４を口板２２に押さえつけると、シール部２４と口板２２の密着性が向上するので、開口部２６からの塵埃のこぼれをより防ぐことができる。
【００３１】
なお、口板２２の開口部２６をシール部２４が塞いだ後、集塵袋２０を集塵部５から引っ張って取り出す際に、係止穴２７が係合部１７に引っ掛かって破れても集塵袋２０を廃棄するのでかまわない。
【００３２】
集塵袋２０で捕集された綿ゴミなどの軽くてフワフワした繊維塵は、集塵袋２０を通過する空気流により、圧縮された固まりとなり易い。これらの圧縮された塵埃の固まりは、電気掃除機１の運転を停止すると空気流による圧縮力が無くなり、圧縮された塵埃の固まりが拡がり、塵埃の固まりの体積が大きくなり、口板２２の開口部２６からあふれる場合もある。ここで、本発明によるシール部２４は、口板２２の面に対して平行に移動するのではない。つまりシャッターのような動作でシールするのではなく、口板２２の上部前方から開口部２６を閉じる。このため、開口部２６付近に塵埃が溜まっている状態でも、開口部２６をシールすることが可能であり、衛生的に塵埃を廃棄することが可能である。
【００３３】
なお、以上の集塵袋２０を集塵部５から取り出す動作は、前側（図７に示す左側）を上に後側（図７に示す右側）を下にした掃除機本体２を立てた状態で行うと、開口部２６付近に塵埃が溜まっている状態でも塵埃がこぼれにくく、衛生上より好ましく塵埃を廃棄することが可能である。
【００３４】
また、図３や図４に示すように本実施例では、集塵袋２０に設けたシール部材２３は空気が通過する流路である袋部材２１には取り付けておらず、口板２２の背面側である電動送風機９側に取り付けているので、袋部材２１の流路面積を減少させない。つまり、空気流による圧力損失の増加を防げ、吸込仕事率を低下させずに、集塵袋２０を衛生的に廃棄することが可能である。
【００３５】
ここで、シール部材２３はシール部２４と剥離紙２５から構成されており、シール部２４は剥離紙２５と袋部材２１の間に配置されている。つまり図３から図７に示す状態では、上から剥離紙２５，シール部２４そして袋部材２１の順に配置している。つまり、剥離紙２５の先端である係止穴２７側を口板２２の前側（上流側、図３の左側）に配置して、口板２２を引き上げる、または、剥離紙２５を下側に引っ張る動作を行えば、口板２２の開口部２６を容易にシールすることが可能である。
【００３６】
なお、本実施例では、塵埃を吸引して集塵袋２０の目詰まりによる吸引力の低下を抑制するために、除塵ユニット７を搭載して集塵袋２０の袋部材２１に付着した塵埃を剥離させて、集塵袋２０の目詰まりを抑制している。この払い落とされた塵埃が集塵袋２０を廃棄する際にこぼれないように、集塵袋２０の開口部２６を塞いで廃棄するので、衛生面でも好都合である。つまり、吸引力の持続と吸引した塵埃の衛生的な廃棄を両立して行うことができる。
【００３７】
ここで、間違って塵埃以外のものを吸引した際等で、集塵袋２０の開口部２６をシールしたくないときには、シール部材２３に設けた係止穴２７を係合部１７から取り外してから集塵袋２０を集塵部５から取り外して行えばよい。このようにして、集塵袋２０内に誤って、ゴミ以外のものを吸い込んでも取り出すことも可能である。この後に、再び集塵部５に集塵袋２０を取り付け、係止穴２７を係合部１７に係止させれば、集塵袋２０を廃棄する際に開口部２６のシールを行うことが可能である。
【００３８】
また、本実施例では集塵袋２０の口板２２をホルダー３６に取り付け、係止部３８が口板２２を挟みこむことで、クランプ２８が所定の位置に配置される。このため、図９に示すように、係止部３８が口板２２を挟んでいない状態では、クランプ２８が回動軸３５を回転中心として電動送風機９側に傾いた状態となり、蓋８に設けたリブ３９が補強部３３に当たり、蓋８が完全に閉じない。このような構成としているので、集塵袋２０を所定の位置に装着していない場合に、使用者に蓋８が閉じないことで注意を喚起する。この場合でも、蓋８に設けたリブ３４やリブ３９が剥離紙２５を挟み込まないように配置しているので、剥離紙２５が切れる不都合は生じない。
【００３９】
次に、図４と、図１０から図１３を参照して集塵袋２０に設けたシール部材２３について説明する。
【００４０】
図１０は、本発明の一実施例を示すシール部材の平面図である。図１１は、図１０のＢ−Ｂ断面図である。図１２は、図１０のＣ−Ｃ断面図である。図１３は、図１１のＤ部拡大図である。図１４は、図１２のＥ部拡大図である。
【００４１】
シール部材２３は糊４１を有するシール部２４と、剥離紙２５から構成されている。このシール部材２３を抜き型で図１０に示す形に打ち抜けばよいので、簡単に作ることが可能である。そして、Ｂ−Ｂ断面（図１１）に示すように、左端の取り付け部４４の剥離紙２５を剥がした状態で、取り付け部４４のシール部２４の糊４１を図４に示すように口板２２の背面（下流側に）貼り付けるとよい。ここで、口板２２の開口部２６をシールする際には、シール部材２３が引っ張られる方向は、図４の上方向、口板２２の上部をまたいだ図４の左側方向、そして口板２２の上部をまたいだ図４の下側方向である。つまり、シール部材２３は取り付け部４４を剥がす方向である口板２２の下流側方向（図４の右側）には引っ張られないので、取り付け部４４を口板２２に縫い付けたりする必要がなく、コストを抑えて作成することができる。
【００４２】
また、図１２のＣ−Ｃ断面に示すように、係止穴２７は剥離紙２５からシール部２４までを貫通するように、シール部材２３を抜き型で打ち抜く際に、同時に打ち抜けばよい。また、この時にＢ−Ｂ断面には図１３に示すように、剥離紙２５にのみ切れ込み４２を入れておく。さらに、Ｃ−Ｃ断面には図１４に示すように、シール部２４と糊４１に切れ込み４３を入れておく。このような切れ込み４２と切れ込み４３があるので、係止穴２７を固定して口板２２を集塵部５から引き出すと、シール部２４の糊４１と剥離紙２５が剥がれていく際に、図１０に示すＢ−Ｂ断面とＣ−Ｃ断面間の凹部付近で、シール部２４が破れずに剥離紙２５が剥がれ、口板２２の開口２６をシール部２４で被い易くすることが可能である。この時、図１０の中央左側の凸部（Ｃ−Ｃ断面の点線より左側部分）のシール部２４は、Ｃ−Ｃ断面の点線より右側から切り取られて、図８に示すように剥離紙２５に残った状態となる。このようにしておくと、剥離紙２５は、集塵袋２０と同時に廃棄することができるので、手間が省けるのでより好ましい。なお、図１１と図１２の右端部の両方あるいはどちらかで、シール部２４と剥離紙２５が剥がれないようにしてもかまわないし、シール部材２３を口板２２の縦方向の長さより長くしておくと、剥離紙２５がシール部材２３に残りやすくできるので、好ましい。
【００４３】
ここで、集塵袋２０の口板２２にシール部材２３を取り付けた状態では、切れ込み４２の微小な隙間部分を除いては、シール部２４の糊４１は露出していないので、集塵袋２０，袋部材２１や集塵部５内に付着することを防げるので、取り扱い性上好ましい。
【００４４】
また、本実施例では係止穴２７付近は、シール部２４と剥離紙２５の両方を残した状態で係合部１７に取り付けているが、この部分のシール部２４は口板２２を塞ぐためには用いない。このため、図１０の中央左側の凸部（Ｃ−Ｃ断面の点線より左側部分）は、剥離紙２５のみとし、シール部２４と糊４１を取り除いて使用してもかまわない。
【００４５】
なお、本実施例ではシール部材２３に備えた剥離紙２５の端部に配置した係止穴２７を、クランプ２８に設けた突起状の係合部１７に引っ掛けて、集塵袋２０を集塵部５に取り付けているが、剥離紙２５端部を集塵部５内に設けたクリップ状の係合部に挟み込んでもかまわない。この場合、集塵袋２０を集塵部５から取り出した際に、クリップ状の係合部から剥離紙２５が外れる程度のばね力のクリップを係合部として用いると、使用者の取り扱い性が向上する。
【符号の説明】
【００４６】
１  電気掃除機
２  掃除機本体
３  下本体ケース
４  上本体ケース
５  集塵部
６  ハンドル
７  除塵ユニット
８  蓋
９  電動送風機
１０  ホース接続口部
１１  走行車輪
１２  ホース
１２ａ  接続部
１３  手元操作管
１４  伸縮継手管
１５  吸口
１６  スイッチ
１７  係合部
１８  保護フィルター
１９  電源コード
２０  集塵袋
２１  袋部材
２２  口板
２３  シール部材
２４  シール部
２５  剥離紙
２６  開口部
２７  係止穴
２８  クランプ
２９  フック
３０  流入口
３１  逆止弁
３２  排気フィルター
３３  補強部
３４，３９  リブ
３５，３７  回動軸
３６  ホルダー
３８  係止部
４０  案内車輪
４１  糊
４２，４３  切れ込み
４４  取り付け部
【図１】
2011229986.tif 000003
【図２】
2011229986.tif 000004
【図３】
2011229986.tif 000005
【図４】
2011229986.tif 000006
【図５】
2011229986.tif 000007
【図６】
2011229986.tif 000008
【図７】
2011229986.tif 000009
【図８】
2011229986.tif 000010
【図９】
2011229986.tif 000011
【図１０】
2011229986.tif 000012
【図１１】
2011229986.tif 000013
【図１２】
2011229986.tif 000014
【図１３】
2011229986.tif 000015
【図１４】
2011229986.tif 000016